(57)【要約】  電子機器は、所定の入力領域へのタッチ操作により情報を入力可能なタッチ操作部と、タッチ操作部の入力機能の有効／無効を制御する制御部とを備える。制御部は、タッチ操作部の入力領域における一部の領域に対する入力機能を無効化し、一部の領域に対する入力機能が無効化されている間、入力領域における入力機能が有効な特定領域に対して所定のタッチ操作が行われたときに、所定期間の間、一部の領域に対する入力機能を有効化し、所定期間の経過後、前記一部の領域に対する入力機能を無効化する。
2016047094.tif 000002
【特許請求の範囲】
【請求項１】
所定の入力領域へのタッチ操作により情報を入力可能なタッチ操作部と、
前記タッチ操作部の入力機能の有効／無効を制御する制御部と、を備え
前記制御部は、
前記タッチ操作部の入力領域における一部の領域に対する入力機能を無効化し、
前記一部の領域に対する入力機能が無効化されている間、前記入力領域における入力機能が有効な特定領域に対して所定のタッチ操作が行われたときに、所定期間の間、前記一部の領域に対する入力機能を有効化し、
前記所定期間の経過後、前記一部の領域に対する入力機能を無効化する、
電子機器。
【請求項２】
前記所定期間は、一定の期間、または前記入力領域においてタッチ操作が検知されている期間である、請求項１記載の電子機器。
【請求項３】
前記所定のタッチ操作は、前記タッチ操作部へのシングルタップ、前記タッチ操作部へのダブルタップ及び／または前記タッチ操作部に対して一定期間継続してタッチし続ける操作である、請求項１または２記載の電子機器。
【請求項４】
前記制御部は、前記一部の領域に対する入力機能を無効化している間であっても、前記タッチ操作部以外の入力装置による入力機能は有効にする、請求項１または２記載の電子機器。
【請求項５】
前記制御部は、前記一部の領域に対する入力機能を無効化している間であっても、特定の操作については前記一部の領域に対する入力を有効にする、請求項１または２記載の電子機器。
【請求項６】
前記特定領域の大きさ及び／または位置が変更可能である、請求項１または２記載の電子機器。
【請求項７】
所定の入力領域へのタッチ操作により情報を入力可能なタッチ操作部を備えた入力装置を制御する方法であって、
前記入力領域における一部の領域に対する入力機能を無効化し、
前記一部の領域における入力機能が無効化されている間、前記入力領域における入力機能が有効な特定領域に対して所定のタッチ操作が行われたときに、所定期間の間、前記一部の領域に対する入力機能を有効化し、
前記所定期間の経過後、前記一部の領域に対する入力機能を無効化する、
入力制御方法。
【請求項８】
前記所定期間は、一定の期間、または前記入力領域においてタッチ操作が検知されている期間である、請求項７記載の入力制御方法。
【請求項９】
前記所定のタッチ操作は、前記タッチ操作部へのシングルタップ、前記タッチ操作部へのダブルタップ及び／または前記タッチ操作部に対して一定期間継続してタッチし続ける操作である、請求項７または８記載の入力制御方法。
【請求項１０】
前記一部の領域に対する入力機能を無効化している間であっても、前記タッチ操作部以外の入力装置による入力機能は有効にする、請求項７または８記載の入力制御方法。
【請求項１１】
前記一部の領域に対する入力機能を無効化している間であっても、特定の操作については前記一部の領域に対する入力を有効にする、請求項７または８記載の入力制御方法。
【請求項１２】
前記特定領域の大きさ及び／または位置が変更可能である、請求項７または８記載の入力制御方法。
【発明の詳細な説明】
【技術分野】
【０００１】
本開示は、タッチ操作により情報を入力する入力装置に対する制御方法及びそのような入力装置を備えた電子機器に関する。
【背景技術】
【０００２】
近年、種々の電子機器において入力手段としてタッチ操作により情報の入力を行うタッチパッドを備えたものが普及している（特許文献１〜４等）。例えば、特許文献１は、入力手段としてキーボードに加えて、タッチパッドを備えたノートブック型のパーソナルコンピュータを開示している。また、特許文献２、３にはそれぞれ、入力手段としてタッチパッドを設けた自動車のステアリング及びカメラが開示されている。
【先行技術文献】
【特許文献】
【０００３】
【特許文献１】特開２０１１−１３８２１８号公報
【特許文献２】特開２０１３−１８６８５８号公報
【特許文献３】特開２０１３−１４５４４４号公報
【特許文献４】特開２０１３−１２０５９３号公報
【発明の概要】
【０００４】
本開示に係る電子機器は、所定の入力領域へのタッチ操作により情報を入力可能なタッチ操作部と、タッチ操作部の入力機能の有効／無効を制御する制御部と、を備える。制御部は、タッチ操作部の入力領域における一部の領域に対する入力機能を無効化し、一部の領域に対する入力機能が無効化されている間、入力領域における入力機能が有効な特定領域に対して所定のタッチ操作が行われたときに、所定期間の間、一部の領域に対する入力機能を有効化し、所定期間の経過後、一部の領域に対する入力機能を無効化する。
【０００５】
本開示に係る入力制御方法は、所定の入力領域へのタッチ操作により情報を入力可能なタッチ操作部を備えた入力装置を制御する方法である。入力制御方法は、入力領域における一部の領域に対する入力機能を無効化し、一部の領域における入力機能が無効化されている間、入力領域における入力機能が有効な特定領域に対して所定のタッチ操作が行われたときに、所定期間の間、一部の領域に対する入力機能を有効化し、所定期間の経過後、一部の領域に対する入力機能を無効化する。
【０００６】
本開示によれば、タッチ操作部の一部の所定領域において入力機能を無効にし、入力が有効な領域において所定の操作を受け付けたときに、所定領域の入力機能を一時的に有効にする。これにより、通常は、タッチ操作部において誤操作されやすい領域の機能を無効にできるため、誤操作を低減でき、また、入力が必要なときにその領域を有効にすることができ、タッチ操作部に対するユーザの利便性を確保できる。
【図面の簡単な説明】
【０００７】
【図１】図１は、実施の形態１における情報処理装置の斜視図である。
【図２】図２は、情報処理装置の内部構成を示す図である。
【図３】図３は、情報処理装置におけるソフトウェア構成を説明した図である。
【図４】図４は、タッチパッドの入力領域において入力機能が無効化される特定領域を説明した図である。
【図５】図５は、タッチパッドの入力機能の有効化／無効化処理を示すフローチャートである。
【図６】図６は、タッチパッド誤操作防止機能がオンに設定されている場合の無効化領域Ｒ２に対する一時的な有効化処理を示すフローチャートである。
【図７】図７は、タッチパッド誤操作防止機能の設定画面（ＧＵＩ）を示す図である。
【図８】図８は、タッチパッド誤操作防止機能の設定画面（ＧＵＩ）を示す図である。
【図９Ａ】図９Ａは、切替領域のサイズの変更を説明した図である。
【図９Ｂ】図９Ｂは、切替領域のサイズの変更を説明した図である。
【図９Ｃ】図９Ｃは、切替領域のサイズの変更を説明した図である。
【図１０Ａ】図１０Ａは、切替領域の位置の変更を説明した図である。
【図１０Ｂ】図１０Ｂは、切替領域の位置の変更を説明した図である。
【図１１Ａ】図１１Ａは、切替領域の配置の変更を説明した図である。
【図１１Ｂ】図１１Ｂは、切替領域の配置の変更を説明した図である。
【図１２】図１２は、タッチパッド誤操作防止機能の設定画面（ＧＵＩ）を示す図である。
【図１３Ａ】図１３Ａは、切替領域の形状のバリエーションを説明した図である。
【図１３Ｂ】図１３Ｂは、切替領域の形状のバリエーションを説明した図である。
【図１４Ａ】図１４Ａは、情報処理装置におけるソフトウェア構成の別の例を説明した図である。
【図１４Ｂ】図１４Ｂは、情報処理装置におけるソフトウェア構成の別の例を説明した図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面及び以下の説明は、当業者が本開示を十分に理解するために、提供されるのであって、これらにより請求の範囲に記載の主題を限定することは意図されていない。
【００１０】
（実施の形態１）
１．構成
以下に説明する情報処理装置は電子機器の一例であり、プログラムを実行することで所定の機能を実現するパーソナルコンピュータである。
【００１１】
図１は、本開示の実施の形態１における情報処理装置の斜視図である。情報処理装置１０は、ディスプレイ１２と、キーボード１４と、タッチ入力部１５とを備える。ディスプレイ１２は例えば液晶表示パネルや有機ＥＬパネルで構成される。
【００１２】
タッチ入力部１５は、タッチパッド１５ａと、ボタン１５ｂ、１５ｃとを含む。タッチパッド１５ａは、静電誘導方式のタッチパネルであり、ユーザの指等でタッチすることで情報処理装置１０に対する指示の入力が行われる。タッチパッド１５ａは、ユーザの指によるタッチ操作を検出すると、タッチ操作の内容を示す検出信号を出力する。ボタン１５ｂ、１５ｃは押下式ボタンであり、例えば、マウスのボタンのクリック操作に対応した入力機能を実現する。タッチパッド１５ａは、ユーザの指による、タップ、ピンチ、ストレッチ、スライド、スワイプ等のジェスチャ操作を受け付けることができる。ユーザはこのタッチパッドを用いることで、カーソル移動、画面スクロール、画面の拡大等の様々な指示を情報処理装置１０に与えることができる。
【００１３】
図２は、情報処理装置１０の電気的な構成を示す図である。情報処理装置１０は、コントローラ１１と、ディスプレイ１２と、データ記憶部１３と、機器インタフェース部１７と、通信モジュール１８とを備える。
【００１４】
コントローラ１１は、ＣＰＵやＭＰＵ等で構成され、プログラムを実行することで種々の機能を実現する。
【００１５】
データ記憶部１３は、データを格納する装置であり、半導体記憶装置（ＳＳＤ）やハードディスク（ＨＤＤ）で構成される。データ記憶部１３は、オペレーティングシステム、各種デバイスを駆動するためのドライバやユーティリティ、アプリケーションプログラム、データを格納する。
【００１６】
機器インタフェース部１７は、ＵＳＢ(Ｕｎｉｖｅｒｓａｌ  Ｓｅｒｉａｌ  Ｂｕｓ)，ＨＤＭＩ（登録商標）(Ｈｉｇｈ  Ｄｅｆｉｎｉｔｉｏｎ  Ｍｕｌｔｉｍｅｄｉａ  Ｉｎｔｅｒｆａｃｅ)、ＩＥＥＥ１３９４等の規格に準じて他の機器と接続するためのインタフェースである。他の機器としては、マウス２０等の外部入力装置、プリンタ、外付けハードディスク等がある。
【００１７】
通信モジュール１８は、ＩＥＥＥ８０２．３等の有線ＬＡＮ規格、またはＷｉＦｉ若しくはＩＥＥＥ８０２．１１等の無線ＬＡＮ規格に準じて他の機器と通信を行うためのモジュールである。通信モジュール１８は、３Ｇ通信方式等で公衆の通信回線に接続するためのモジュールを含んでも良い。
【００１８】
図３は、タッチパッド１５ａの動作に関する、情報処理装置１０におけるソフトウェア構成を説明した図である。
【００１９】
タッチパッドドライバ３１は、タッチパッド１５ａからの検出信号をオペレーティングシステムが処理できる、タッチ操作を示す情報に変換してオペレーティングシステム（ＯＳ）３３に出力するソフトウェアである。特に、タッチパッドドライバ３１は、タッチパッド１５ａの所定の入力領域に対する入力（タッチ操作）を無効にする機能（詳細は後述）を有する。オペレーティングシステム３３は、タッチパッドドライバ３１から受信した情報をアプリケーション３５に送信する。アプリケーション３５は、オペレーティングシステム３３から受信した情報に基づき処理を行う。
【００２０】
２．動作
２．１  タッチパッドの無効化動作
以下、本実施形態の情報処理装置１０におけるタッチパッド１５ａの入力機能に関する処理を説明する。本実施形態の情報処理装置１０は、タッチパッド１５ａに対する誤操作を低減するため、タッチパッド１５ａの一部の入力領域への入力を無効化する機能（以下「タッチパッド誤操作防止機能」と称す。）を有している。
【００２１】
図４は、タッチパッド１５ａの入力領域において入力機能が無効化される領域を説明した図である。本実施形態の情報処理装置１０では、タッチパッド１５ａの全入力領域Ｒ０において、ユーザがキーボード１４を操作中にユーザの左手Ｈ１と右手Ｈ２が触れる可能性が高いと考えられる領域を、入力機能を無効化する領域（以下「無効化領域Ｒ２」と称す。）として設定する。
【００２２】
タッチパッド誤操作防止機能のオン／オフは、設定により切り替えられるようになっている。タッチパッド誤操作防止機能がオンのときは、基本的に、タッチパッド１５ａの切替領域Ｒ１におけるユーザのタッチ操作のみ受け付ける。一方、タッチパッド誤操作防止機能がオフのときは、タッチパッド１５ａの全入力領域Ｒ０においてユーザのタッチ操作を受け付ける。
【００２３】
以下、図５のフローチャートを参照して、情報処理装置１０におけるタッチパッド１５ａの無効化領域Ｒ２に対する無効化処理を説明する。なお、本処理及び後述の処理（図６を用いて説明）は、コントローラ１１がタッチパッドドライバ３１を実行することにより実現される。
【００２４】
コントローラ１１は、タッチパッド誤操作防止機能がオンに設定されているか否かを判断する（Ｓ１１）。タッチパッド誤操作防止機能がオンに設定されている場合（Ｓ１１でＹＥＳ）、コントローラ１１は、無効化領域Ｒ２に対する入力機能を無効化する（Ｓ１２）。無効化領域Ｒ２に対する入力機能の無効化により、コントローラ１１は、タッチパッド１５ａの無効化領域Ｒ２に対して入力されたタッチ操作を入力として受け付けなくなる。
【００２５】
一方、タッチパッド誤操作防止機能がオフに設定されている場合（Ｓ１１でＮＯ）、コントローラ１１は、タッチパッド１５ａに対して入力機能の無効化を行わない（Ｓ１３）。この場合、コントローラ１１は、タッチパッド１５ａの全入力領域Ｒ０に対してなされたタッチ操作を入力として受け付ける。
【００２６】
以上のように、タッチパッド誤操作防止機能がオンに設定されている場合、タッチパッド１５ａの無効化領域Ｒ２におけるユーザのタッチ操作は基本的に無効にする。しかし、タッチパッド誤操作防止機能がオンに設定されている場合であっても、ユーザにより、入力が有効な特定の領域において特定の操作があったときは、一定期間のみ、タッチパッド１５ａの無効化領域Ｒ２におけるユーザのタッチ操作を有効にする。ここで、本実施形態では、特定の領域は、全入力領域Ｒ０における無効化領域Ｒ２以外の領域とする。なお、特定の領域は、全入力領域Ｒ０において入力が有効な領域の一部の領域に設定してもよい。また、特定の操作とは、シングルタップまたは長押し操作（一定期間継続してタッチパッド１５ａにタッチし続ける操作）とする。このように特定の領域は、無効化領域Ｒ２に対する入力（タッチ操作）を「無効」から「有効」に切り替えるための領域であるため、以下では特定の領域を「切替領域Ｒ１」と称す。
【００２７】
以下、図６を参照し、無効化領域の一時的な有効化動作を説明する。図６は、タッチパッド誤操作防止機能がオンに設定されている場合の、タッチパッド１５ａの無効化領域Ｒ２に対する一時的な有効化処理を示すフローチャートである。
【００２８】
コントローラ１１は、切替領域Ｒ１に対してユーザの所定の操作（シングルタップまたは長押し操作）があったか否かを判断する（Ｓ２１）。
【００２９】
切替領域Ｒ１に対してユーザの所定の操作があった場合（Ｓ２１でＹＥＳ）、無効化領域Ｒ２の入力機能を有効化する（Ｓ２２）。有効化してから所定時間が経過するまで、または、タッチパッド１５ａに対するタッチ操作が検出されている間（Ｓ２３でＹＥＳ）、コントローラ１１は、無効化領域Ｒ２の入力機能の有効化を維持する。一方、有効化してから所定時間が経過し、かつ、タッチパッド１５ａに対するタッチ操作が検出されなくなると（Ｓ２３でＮＯ）、コントローラ１１は、無効化領域Ｒ２に対する入力機能を無効化に戻す（Ｓ２４）。
【００３０】
このように、本実施形態では、無効化領域Ｒ２が無効にされている場合に、切替領域Ｒ１においてユーザにより所定の操作がなされた場合には、タッチパッド１５ａにおける無効化領域Ｒ２の入力機能を一時的に有効にする。これにより、ユーザは、タッチパッド１５ａを使用する意図がないときは、誤操作を招きやすい無効化領域Ｒ２を無効にすることで誤操作を低減でき、一方、タッチパッド１５ａを使用したいときは、所定の操作を行うことでタッチパッド１５ａ全体を使用することが可能となる。これにより、タッチパッド１５ａにおける誤操作を低減しつつ、タッチパッド１５ａに対するユーザの利便性を向上できる。
【００３１】
２．２  設定画面
（１）タッチパッド誤操作防止機能のオン／オフ設定
図７は、タッチパッド誤操作防止機能のオン／オフの設定を行うための設定画面（ＧＵＩ）を示す図である。ユーザは、設定画面５０上で、ボタン５１、５２を操作することで、タッチパッド誤操作防止機能のオン／オフを設定できる。なお、コントローラ１１は、タッチパッド誤操作防止機能のオン／オフにかかわらず、マウス２０等の外部入力装置の入力機能は有効にする。
【００３２】
（２）タッチパッド誤操作防止機能の各種設定
図８は、タッチ入力誤操作防止機能における各種の設定（位置、大きさ、形状）を行うための設定画面を示す図である。図８の設定画面６０では、切替領域Ｒ１の位置、大きさ等を変更することができる。例えば、設定画面６０においてスライダ６１、６２をスライドさせることで、図９Ａ〜図９Ｃに示すように切替領域Ｒ１の高さと幅を変更することができる。また、設定画面６０においてスライダ６３をスライドさせることで、図１０Ａ、図１０Ｂに示すように、切替領域Ｒ１の位置を水平方向にシフトさせることができる。また、設定画面６０においてボタン６４、６５を操作することで、図１１Ａ、図１１Ｂに示すように、切替領域Ｒ１を上下反転させることができる。コントローラ１１は、設定画面６０上でのユーザによる設定に基づき切替領域Ｒ１の大きさ、位置等を変更する。
【００３３】
入力が無効な無効化領域Ｒ２への入力であっても、一部のジェスチャ操作については、入力を受け付けるようにしてもよい。例えば、スワイプ操作については、入力が無効な無効化領域Ｒ２への入力であっても、その入力を受け付けるようにしてもよい。マイクロソフト社のＷｉｎｄｏｗｓ（登録商標）８では、タッチパネル（タッチパッド）の入力領域の右端でスワイプすることでチャームを表示させることができる。このようなチャームを表示させるためのスワイプは無効化領域Ｒ２において操作される。よって、スワイプに関しては、無効化領域での入力であっても、その入力を受け付けるようにすることで、チャームを表示させるときのユーザの利便性を確保できる。この場合、図８に示す設定画面６０の下部において、さらに図１２に示すような各種ボタン６６、６７、…を含むＧＵＩ８０を表示させてもよい。ボタン６６、６７によって、全ての操作を無効にするか、一部の操作（本例では、スワイプ操作）は無効にしないかを設定できるようになっている。また、チェックボックス６８により、上下左右のいずれの領域でのスワイプを有効にするかを設定できるようになっている。
【００３４】
また、図１２に示すＧＵＩ８０では、無効化領域Ｒ２の入力機能を一時的に有効化するための特定の操作を設定できるようになっている。具体的には、ボタン６９、７０により、所定の操作としてシングルタップ及び／又は長押し操作の２つの操作が設定できるようになっている。また、入力ボックス７１により、無効化領域Ｒ２の入力機能を一時的に有効化する際の所定期間も設定できるようになっている。
【００３５】
コントローラ１１は、設定画面６０、８０上でユーザにより設定された各種設定に基づき、タッチパッド誤操作防止機能に関する種々の設定を行う。
【００３６】
３．まとめ
本実施形態の情報処理装置１０（電子機器の一例）は、全入力領域Ｒ０（所定の入力領域の一例）へのタッチ操作により情報を入力可能なタッチパッド（タッチ操作部の一例）１５ａと、タッチパッド１５ａの入力機能の有効／無効を制御するコントローラ１１（制御部の一例）とを備える。コントローラ１１は、タッチパッド１５ａの全入力領域Ｒ０における無効化領域Ｒ２（一部の領域の一例）に対する入力機能を無効化する（Ｓ１２）。コントローラ１１は、無効化領域Ｒ２に対する入力機能が無効化されている間、入力機能が有効な切替領域Ｒ１（特定領域の一例）に対して所定のタッチ操作が行われたときに（Ｓ２１でＹＥＳ）、所定期間の間（Ｓ２３）、無効化領域Ｒ２に対する入力機能を有効化し（Ｓ２２）、所定期間の経過後、無効化領域Ｒ２に対する入力機能を無効化する（Ｓ２４）。
【００３７】
また、本実施形態の入力制御方法は、所定の入力領域へのタッチ操作により情報を入力可能なタッチパッド１５ａを備えたタッチ入力部１５（入力装置の一例）を制御する方法である。入力制御方法は、全入力領域Ｒ０における一部の無効化領域Ｒ２に対する入力機能を無効化し、無効化領域Ｒ２に対する入力機能が無効化されている間、全入力領域Ｒ０における入力が有効な切替領域Ｒ１に対して所定のタッチ操作が行われたときに、所定期間の間、無効化領域Ｒ２に対する入力機能を有効化し、所定期間の経過後、無効化領域Ｒ２に対する入力機能を無効化する。
【００３８】
以上のように、タッチパッド１５ａの一部の無効化領域Ｒ２において入力機能を無効にし、入力が有効な切替領域Ｒ１において所定の操作を受け付けたときに、無効化領域Ｒ２の入力機能を一時的に有効にする。これにより、通常は、タッチパッド１５ａにおいて誤操作されやすい無効化領域Ｒ２の機能を無効にできるため、誤操作を低減でき、また、入力が必要になったときに無効化領域Ｒ２を有効にすることができるため、タッチパッド１５ａに対するユーザの利便性を確保できる。
【００３９】
（他の実施の形態）
以上のように、本出願において開示する技術の例示として、実施の形態１を説明した。しかしながら、本開示における技術は、これに限定されず、適宜、変更、置き換え、付加、省略などを行った実施の形態にも適用可能である。また、上記実施の形態１で説明した各構成要素を組み合わせて、新たな実施の形態とすることも可能である。
【００４０】
そこで、以下、他の実施の形態を例示する。
【００４１】
上記の実施の形態では、切替領域の形状は三角形としたが、切替領域の形状はこれに限定されない。ユーザがキーボード１４の操作中に誤って触れることの可能性が低い形状であればよい。例えば、図１３Ａに示すような半円状であってもよいし、図１３Ｂに示すような円状であってもよい。
【００４２】
上記の実施の形態では、無効化領域Ｒ２の入力機能を一時的に有効化するための所定の操作は、シングルタップと長押し操作の２つであったが、所定の操作はこれらに限定されるものではない。ダブルタップや複数の指でタッチするマルチタッチ等、他の種類のジェスチャ操作であってもよい。
【００４３】
上記の実施の形態では、タッチパッド誤操作防止機能をタッチパッドドライバ３１で提供する例を説明したが、この機能をタッチパッドドライバ３１とは異なるアプリケーションソフトで実現してもよい。例えば、図１４Ａ、図１４Ｂに示すように、前述のタッチパッド誤操作防止機能を、タッチパッドドライバ３１とは別に設けた誤操作防止アプリケーション３９で提供してもよい。
【００４４】
図１４Ａに示す例では、タッチパッドドライバ３１は、タッチパッド１５ａから受信したタッチ操作の検出信号を、誤操作防止アプリケーション３９に送信する。誤操作防止アプリケーション３９は、タッチパッドドライバ３１から受信した検出信号に対して、前述の図５、図６のフローチャートで示した処理にしたがった処理を行う。すなわち、誤操作防止アプリケーション３９は、入力機能が無効にされていない領域において検出された検出信号のみをタッチパッドドライバ３１に出力（フィルタリング）するようにする。タッチパッドドライバ３１は、誤操作防止アプリケーション３９から受信した検出信号を受信し、受信した検出信号をオペレーティングシステム（ＯＳ）３３で処理できる、タッチ操作を示す情報に変換してオペレーティングシステム（ＯＳ）３３に送信する。
【００４５】
または、図１４Ｂに示すように、誤操作防止アプリケーション３９をタッチパッド１５ａとタッチパッドドライバ３１の間に介在させてもよい。この場合、誤操作防止アプリケーション３９は、タッチパッド１５ａから検出信号を受信し、前述の図５、図６のフローチャートで示した処理にしたがい、入力機能が無効にされていない領域にて検出された検出信号のみをタッチパッドドライバ３１に出力する。タッチパッドドライバ３１は、誤操作防止アプリケーション３９から検出信号を受信し、受信した検出信号をオペレーティングシステム（ＯＳ）３３で処理できる、タッチ操作を示す情報に変換してオペレーティングシステム（ＯＳ）３３に送信する。
【００４６】
以上のように、本開示における技術の例示として、実施の形態を説明した。そのために、添付図面及び詳細な説明を提供した。
【００４７】
したがって、添付図面及び詳細な説明に記載された構成要素の中には、必須な構成要素だけでなく、上記技術を例示するために、必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４８】
また、上述の実施の形態は、本開示における技術を例示するためのものであるから、請求の範囲またはその均等の範囲において種々の変更、置き換え、付加、省略などを行うことができる。
【産業上の利用可能性】
【００４９】
本開示は、タッチ操作による入力機能を備えた電子機器、例えば、パーソナルコンピュータ、ワークステーション、スマートフォン、タブレット端末等に適用可能である。
【符号の説明】
【００５０】
１０  情報処理装置
１１  コントローラ
１２  ディスプレイ
１３  データ記憶部
１４  キーボード
１５  タッチ入力部
１５ａ  タッチパッド
１５ｂ，１５ｃ，５１，５２，６４，６５，６６，６７，６９，７０  ボタン
１７  機器インタフェース部
１８  通信モジュール
２０  マウス
３１  タッチパッドドライバ
３３  オペレーティングシステム
３５  アプリケーション
３９  誤操作防止アプリケーション
５０，６０  設定画面
６１，６２，６３  スライダ
６８  チェックボックス
７１  入力ボックス
８０  ＧＵＩ（設定画面）
Ｈ１  左手
Ｈ２  右手
Ｒ０  全入力領域
Ｒ１  切替領域
Ｒ２  無効化領域
【図１】
2016047094.tif 000003
【図２】
2016047094.tif 000004
【図３】
2016047094.tif 000005
【図４】
2016047094.tif 000006
【図５】
2016047094.tif 000007
【図６】
2016047094.tif 000008
【図７】
2016047094.tif 000009
【図８】
2016047094.tif 000010
【図９Ａ】
2016047094.tif 000011
【図９Ｂ】
2016047094.tif 000012
【図９Ｃ】
2016047094.tif 000013
【図１０Ａ】
2016047094.tif 000014
【図１０Ｂ】
2016047094.tif 000015
【図１１Ａ】
2016047094.tif 000016
【図１１Ｂ】
2016047094.tif 000017
【図１２】
2016047094.tif 000018
【図１３Ａ】
2016047094.tif 000019
【図１３Ｂ】
2016047094.tif 000020
【図１４Ａ】
2016047094.tif 000021
【図１４Ｂ】
2016047094.tif 000022
【国際調査報告】
2016047094.tif 000023
2016047094.tif 000024